(57)【特許請求の範囲】
【請求項１】
信号線によって互いに送り配線された複数台の照明器具と、信号線で接続された各照明器具に対して制御信号を送信する制御装置とを備えた照明システムにおいて、照明器具は、光源と、光源に電力を供給して点灯する点灯回路部と、信号線を介して制御信号を送受信する送受信部と、制御信号に基づいて点灯回路部から光源へ供給される電力を可変させて光源を点灯・消灯並びに調光する器具制御部と、他の照明器具との間で制御信号の送受信に伴って生じる光源の光量変化のタイミングのずれを補正する補正手段とを具備することを特徴とする照明システム。
【請求項２】
補正手段は、制御信号に基づいて送受信部で制御信号を受信してから光源の光量を変化させるまでの時間を次段の照明器具よりも遅らせて成ることを特徴とする請求項１記載の照明システム。
【請求項３】
補正手段は、制御信号に基づいて送受信部で制御信号を受信してから光源の光量を変化させるまでの時間を前段の照明器具よりも早めて成ることを特徴とする請求項１記載の照明システム。
【請求項４】
補正手段は、制御信号に基づいて送受信部で制御信号を受信してから光源の光量を変化させるまでの時間を次段の照明器具よりも遅らせるとともに送受信部で制御信号を受信してから光源の光量を変化させるまでの時間を前段の照明器具よりも早めて成ることを特徴とする請求項１記載の照明システム。
【請求項５】
信号線に対してバス接続された複数台の照明器具と、信号線に接続された各照明器具に対して制御信号を送信する制御装置と、信号線に送り配線されて制御信号を中継する１乃至複数台の中継器とを備え、照明器具は、光源と、光源に電力を供給して点灯する点灯回路部と、信号線を介して制御信号を受信する受信部と、制御信号に基づいて点灯回路部から光源へ供給される電力を可変させて光源を点灯・消灯並びに調光する器具制御部とを具備する照明システムにおいて、個々の照明器具の間で制御信号の送受信に伴って生じる光源の光量変化のタイミングのずれを補正する補正手段を備えたことを特徴とする照明システム。
【請求項６】
補正手段は、制御信号に基づいて中継器の送受信部で制御信号を受信してから照明器具に制御信号を送信するまでの時間を次段の中継器よりも遅らせて成ることを特徴とする請求項５記載の照明システム。
【請求項７】
補正手段は、制御信号に基づいて中継器の送受信部で制御信号を受信してから照明器具に制御信号を送信するまでの時間を前段の中継器よりも早めて成ることを特徴とする請求項５記載の照明システム。
【請求項８】
補正手段は、制御信号に基づいて中継器の送受信部で制御信号を受信してから照明器具に制御信号を送信するまでの時間を次段の中継器よりも遅らせるとともに中継器の送受信部で制御信号を送信してから照明器具に制御信号を送信するまでの時間を前段の中継器よりも早めて成ることを特徴とする請求項５記載の照明システム。
【発明の詳細な説明】
【０００１】
【発明の属する技術分野】
本発明は、制御装置から信号線を介して伝送される制御信号によって複数台の照明器具が各々光源の光量を変化させる照明システムに関するものである。
【０００２】
【従来の技術】
従来、制御装置から信号線を介して伝送される制御信号によって複数台の照明器具が各々光源の光量を変化させる照明システムとして、図１４に示すように制御装置ＣＴ′に対して複数台の照明器具Ａ１′〜Ａ３′が２線式の信号線Ｌｓで送り配線されたものや、あるいは図１５に示すように制御装置ＣＴ′に対して複数台の照明器具Ａ１′〜Ａ６′が２線式の信号線Ｌｓでバス接続されるとともに信号線Ｌｓの途中に複数台の中継器Ｂ１′，Ｂ２′が送り配線されたものが提案されている。このような従来の照明システムで信号線Ｌｓの総配線長が長く、且つ照明器具Ａ１′…の台数が多い大規模なシステムを構成する場合、図１５に示したバス接続のものであれば、照明器具Ａ１′〜Ａ６′や信号線Ｌｓのインピーダンスの影響をうけて制御信号が歪んだり、信号電圧が低下して制御信号の受信が不可能になる虞があった。これに対して複数台の照明器具Ａ１′〜Ａ３′を制御装置ＣＴ′に送り配線したものにおいては、各照明器具Ａ１′，Ａ２′が制御装置ＣＴ′からの制御信号を受信してから次段の照明器具Ａ２′，Ａ３′に対して送信するため、上記バス接続の場合のような不具合は生じない。しかしながら、各照明器具Ａ１′，Ａ２′では制御信号を一旦受信してから次段の他の照明器具Ａ２′，Ａ３′に制御信号を送信するため、各照明器具Ａ１′〜Ａ３′における制御信号の受信から送信に要する時間分だけ各照明器具Ａ１′〜Ａ３′での制御信号の受信タイミングがずれることになり、例えば、系統内の全ての照明器具Ａ１′〜Ａ３′の光源Ｄ１′〜Ｄ３′の光量を一斉に変化させる場合、各照明器具Ａ１′〜Ａ３′における光源Ｄ１′〜Ｄ３′の光量変化のタイミングにずれが生じてしまう。
【０００３】
例えば、図１４に示すシステム構成において、制御装置ＣＴ′はマイコンを具備して図１６に示すようなフォーマットの制御信号を信号線Ｌｓに送信している。この制御信号のコマンド部には点灯や消灯などの命令が含まれ、データ部には光源Ｄ１′…の光量を指示する調光比などのデータが含まれる。つまり、各照明器具Ａ１′〜Ａ３′においては、受信した制御信号に従って光源Ｄ１′〜Ｄ３′を点灯又は消灯したり、あるいは光源Ｄ１′〜Ｄ３′の光量を調光比のデータに応じて可変することが可能となる。
【０００４】
ここで、全ての光源Ｄ１′〜Ｄ３′が消灯状態にあり、制御装置ＣＴ′から送信された制御信号によって系統内の光源Ｄ１′〜Ｄ３′を一斉に全点灯（調光比が１００％の定格点灯）させる場合について考える。図１７に示すように制御装置ＣＴ′と信号線Ｌｓで直接接続された照明器具Ａ１′では、制御信号を受信すると制御信号の解析やデータチェック等の処理を行った後に次段の照明器具Ａ２′に対して制御信号を送信するとともに、制御信号の受信完了後に直ちに光源Ｄ１′を全点灯させる。つまり、照明器具Ａ１′が制御信号を受信してから次段の照明器具Ａ２′に送信するまでには、上記処理等に要する時間（以下、「遅延時間」という）ＴＤの遅れが生じることになる。同様に照明器具Ａ２′では前段の照明器具Ａ１′から制御信号を受信すると、遅延時間ＴＤ経過後に次段の照明器具Ａ３′に対して制御信号を送信するとともに、制御信号の受信完了後に直ちに光源Ｄ２′を全点灯させる。なお、照明器具Ａ３′についても同様である。
【０００５】
従って、各照明器具Ａ１′〜Ａ３′の光源Ｄ１′〜Ｄ３′が全点灯するタイミングは、図１７に示すように前段の照明器具Ａ１′，Ａ２′が制御信号を受信してから次段の照明器具Ａ２′，Ａ３′に送信するまでの遅延時間ＴＤ分ずつずれて、最大で（２×ＴＤ）時間のずれが生じてしまう。例えば、図１６に示した制御信号が８ビットのデータであれば、最低でも１バイトデータの時間と上記処理時間の和が遅延時間ＴＤとなる。
【０００６】
また、図１５に示すシステム構成においては、制御装置ＣＴ′に対して複数台（２台のみを図示）の中継器Ｂ１′，Ｂ２′が信号線Ｌｓによって送り配線されるとともに、制御装置ＣＴ′と中継器Ｂ１′並びに各中継器Ｂ１′，Ｂ２′間の信号線Ｌｓに複数台の照明器具Ａ１′…がバス接続されており、中継器Ｂ１′…を介さずに信号線Ｌｓにバス接続されている２台の照明器具Ａ１′，Ａ２′が制御装置ＣＴ′から送信される制御信号を同時に受信し、受信した制御信号に従って光源Ｄ１′，Ｄ２′を点灯又は消灯したり、あるいは光源Ｄ１′，Ｄ２′の光量を調光比のデータに応じて可変する。また中継器Ｂ１′，Ｂ２′はマイコンを具備し、制御信号を受信すると制御信号の解析やデータチェック等の処理を行った後に送り配線された次段の中継器Ｂ２′に対して制御信号を送信する。
【０００７】
ここで、全ての光源Ｄ１′〜Ｄ６′が消灯状態にあり、制御装置ＣＴ′から送信された制御信号によって系統内の光源Ｄ１′〜Ｄ６′を一斉に全点灯させる場合について考える。図１８に示すように制御装置ＣＴ′と中継器Ｂ１′との間で信号線Ｌｓにバス接続された照明器具Ａ１′，Ａ２′では同時に制御信号を受信し、制御信号の受信完了後に直ちに光源Ｄ１′，Ｄ２′を全点灯させる。また、中継器Ｂ１′では制御信号を受信すると制御信号の解析やデータチェック等の処理を行った後に次段の中継器Ｂ２′に対して制御信号を送信する。そうすると、２台の中継器Ｂ１′，Ｂ２′の間で信号線Ｌｓにバス接続されている２台の照明器具Ａ３′，Ａ４′で同時に制御信号を受信し、制御信号の受信完了後に直ちに光源Ｄ３′，Ｄ４′を全点灯させる。また、中継器Ｂ２′では制御信号を受信すると制御信号の解析やデータチェック等の処理を行った後に信号線Ｌｓに対して制御信号を送信する。そして、中継器Ｂ２′から送り配線される信号線Ｌｓに接続された２台の照明器具Ａ５′，Ａ６′で同時に制御信号を受信し、制御信号の受信完了後に直ちに光源Ｄ５′，Ｄ６′を全点灯させる。
【０００８】
従って、各照明器具Ａ１′〜Ａ６′の光源Ｄ１′〜Ｄ６′が全点灯するタイミングは、図１８に示すように２台の中継器Ｂ１′，Ｂ２′がそれぞれ制御信号を受信してから送信するまでの遅延時間ＴＤ分ずつずれて、最大で（２×ＴＤ）時間のずれが生じてしまう。つまり、先に説明したシステム構成において、照明器具Ａ１′…が中継器Ｂ１′…に置き換わったものとして考えることができる。なお、消灯から全点灯とする場合だけに限らず、全点灯から消灯、あるいは消灯又は全点灯から所定の調光比に光源Ｄ１′…の光量を一斉に変化させる場合について上述のようなタイムラグが生じることとなる。
【０００９】
【発明が解決しようとする課題】
上述のように従来の照明システムにおいて複数の光源の光量を一斉に変化させる場合の時間のずれは、システム構成が小規模であって照明器具や中継器の台数が少なければ、目に見えて現れるほどのものではないが、システム構成が大規模になって照明器具や中継器の台数が増加し、制御信号の送信回数が増えると、目に見えて明らかなものとなる。すなわち、上述の例でいえば、配線経路上で制御装置ＣＴ′に近い照明器具Ａ１′…から順番に光源Ｄ１′…の光量が変化していくことになり、制御装置ＣＴ′から遠い照明器具Ａ３′，Ａ６′との間で光源Ｄ１′…の光量変化のタイミングのずれが非常に大きくなってしまう。このような現象は照明システムの持つ演出性を損ねることになり、使用者が望むものでない。
【００１０】
一方、上述のような現象は、制御信号と別に同期信号を送信し、その同期信号に同期したタイミングで光源の光量を変化させることで解消することが可能である。しかしながら、同期信号を送信するために別の信号線が必要となり、施工上好ましくない。また信号線を用いずに照明器具や中継器に同期信号を与える構成も考えられるが、これは照明器具や中継器の構造が複雑になってコストの上昇につながるという欠点がある。
【００１１】
本発明は上記事情に鑑みて為されたものであり、その目的とするところは、従来のシステム構成を変更することなく、多数の光源の光量を略同時に変化させて使用者の望む照明制御が実現可能な照明システムを提供することにある。
【００１２】
【課題を解決するための手段】
請求項１の発明は、上記目的を達成するために、信号線によって互いに送り配線された複数台の照明器具と、信号線で接続された各照明器具に対して制御信号を送信する制御装置とを備えた照明システムにおいて、照明器具は、光源と、光源に電力を供給して点灯する点灯回路部と、信号線を介して制御信号を送受信する送受信部と、制御信号に基づいて点灯回路部から光源へ供給される電力を可変させて光源を点灯・消灯並びに調光する器具制御部と、他の照明器具との間で制御信号の送受信に伴って生じる光源の光量変化のタイミングのずれを補正する補正手段とを具備することを特徴とし、各照明器具が具備する光源の光量を一斉に変化させる場合に補正手段によって光源の光量変化のタイミングのずれが補正され、従来のシステム構成を変更することなく、多数の光源の光量を略同時に変化させて使用者の望む照明制御が実現可能となる。
【００１３】
請求項２の発明は、請求項１の発明において、補正手段が、制御信号に基づいて送受信部で制御信号を受信してから光源の光量を変化させるまでの時間を次段の照明器具よりも遅らせて成ることを特徴とし、制御信号を受信する順番が早い照明器具ほど制御信号を受信してから光源の光量を変化させるまでの時間が遅れることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００１４】
請求項３の発明は、請求項１の発明において、補正手段が、制御信号に基づいて送受信部で制御信号を受信してから光源の光量を変化させるまでの時間を前段の照明器具よりも早めて成ることを特徴とし、制御信号を受信する順番が遅い照明器具ほど制御信号を受信してから光源の光量を変化させるまでの時間が早まることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００１５】
請求項４の発明は、請求項１の発明において、補正手段が、制御信号に基づいて送受信部で制御信号を受信してから光源の光量を変化させるまでの時間を次段の照明器具よりも遅らせるとともに送受信部で制御信号を受信してから光源の光量を変化させるまでの時間を前段の照明器具よりも早めて成ることを特徴とし、制御信号を受信する順番が早い照明器具ほど制御信号を受信してから光源の光量を変化させるまでの時間が遅れるとともに、制御信号を受信する順番が遅い照明器具ほど制御信号を受信してから光源の光量を変化させるまでの時間が早まることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００１６】
請求項５の発明は、上記目的を達成するために、信号線に対してバス接続された複数台の照明器具と、信号線に接続された各照明器具に対して制御信号を送信する制御装置と、信号線に送り配線されて制御信号を中継する１乃至複数台の中継器とを備え、照明器具は、光源と、光源に電力を供給して点灯する点灯回路部と、信号線を介して制御信号を受信する受信部と、制御信号に基づいて点灯回路部から光源へ供給される電力を可変させて光源を点灯・消灯並びに調光する器具制御部とを具備する照明システムにおいて、個々の照明器具の間で制御信号の送受信に伴って生じる光源の光量変化のタイミングのずれを補正する補正手段を備えたことを特徴とし、各照明器具が具備する光源の光量を一斉に変化させる場合に補正手段によって光源の光量変化のタイミングのずれが補正され、従来のシステム構成を変更することなく、多数の光源の光量を略同時に変化させて使用者の望む照明制御が実現可能となる。
【００１７】
請求項６の発明は、請求項５の発明において、補正手段が、制御信号に基づいて中継器の送受信部で制御信号を受信してから照明器具に制御信号を送信するまでの時間を次段の中継器よりも遅らせて成ることを特徴とし、制御信号を受信する順番が早い照明器具ほど制御信号を受信してから光源の光量を変化させるまでの時間が遅れることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００１８】
請求項７の発明は、請求項５の発明において、補正手段が、制御信号に基づいて中継器の送受信部で制御信号を送信してから照明器具に制御信号を送信するまでの時間を前段の中継器よりも早めて成ることを特徴とし、制御信号を受信する順番が遅い照明器具ほど制御信号を受信してから光源の光量を変化させるまでの時間が早まることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００１９】
請求項８の発明は、請求項５の発明において、補正手段が、制御信号に基づいて中継器の送受信部で制御信号を受信してから照明器具に制御信号を送信するまでの時間を次段の中継器よりも遅らせるとともに中継器の送受信部で制御信号を送信してから照明器具に制御信号を送信するまでの時間を前段の中継器よりも早めて成ることを特徴とし、制御信号を受信する順番が早い照明器具ほど制御信号を受信してから光源の光量を変化させるまでの時間が遅れるとともに、制御信号を受信する順番が遅い照明器具ほど制御信号を受信してから光源の光量を変化させるまでの時間が早まることになるから、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となる。
【００２０】
【発明の実施の形態】
（実施形態１）
図１に示すように本発明の実施形態１の照明システムは、２線式の信号線Ｌｓによって互いに送り配線された複数台の照明器具Ａ１，Ａ２，Ａ３と、信号線Ｌｓで接続された各照明器具Ａ１〜Ａ３に対して制御信号を送信する制御装置ＣＴとを備えている。なお、制御装置ＣＴは操作スイッチやリモコン装置等の入力手段（図示せず）を使って使用者から与えられる指示に従って、図３に示すようなフォーマットの制御信号を信号線Ｌｓに送信するものであり、従来周知の技術を用いて構成可能であるから詳しい構成についての図示並びに説明は省略する。ここで、制御信号はコマンド部と２種類のデータ部とで構成され、コマンド部には点灯や消灯あるいは調光などの命令が含まれ、第１のデータ部には光源Ｄ１…の光量を指示する調光比などのデータが含まれるとともに、第２のデータ部には信号線Ｌｓに接続されてシステムを構成する照明器具Ａ１〜Ａ３の台数（本実施形態では３台）に関するデータが含まれる。
【００２１】
一方、照明器具Ａ１…は、図２に示すように白熱灯や蛍光灯のような光源Ｄ１…と、光源Ｄ１…に電力を供給して点灯する点灯回路部１と、信号線Ｌｓを介して制御信号を送受信する送受信部２と、マイコンを主構成要素とし、制御信号に基づいて点灯回路部１から光源Ｄ１…へ供給される電力を可変させて光源Ｄ１…を点灯・消灯並びに調光する器具制御部３とを具備している。器具制御部３では、送受信部２で受信した制御信号の解析やデータチェック等を行った後、送受信部２から信号線Ｌｓを介して次段の照明器具Ａ２…に送信する。ここで、照明器具Ａ１…において制御信号を受信してから送信するまでに要する時間を遅延時間ＴＤと定義する。
【００２２】
次に、全ての照明器具Ａ１〜Ａ３の光源Ｄ１〜Ｄ３が消灯している状態から、制御装置ＣＴより送信される制御信号によって一斉に全ての光源Ｄ１〜Ｄ３を点灯させる場合の動作を、図４のタイムチャートを参照して説明する。
【００２３】
全ての光源Ｄ１〜Ｄ３を点灯させる命令をコマンド部に含むとともに、調光比を１００％（全点灯）とするデータを第１のデータ部に含み、且つシステム内に含まれる照明器具Ａ１〜Ａ３の総台数（＝３）のデータを第２のデータ部に含む制御信号が、制御装置ＣＴから信号線Ｌｓに送出されると、まず信号線Ｌｓで制御装置ＣＴに直接接続されている照明器具Ａ１が上記制御信号を受信する。この照明器具Ａ１の器具制御部３では、受信した制御信号の解析やデータチェック等を行い、第２のデータ部に含まれるデータ値を１だけ減算した値（＝２）に更新して送受信部２から信号線Ｌｓに送出させる。このとき、照明器具Ａ１が制御信号を受信してから信号線Ｌｓに制御信号を送出するまでに要する時間が上記遅延時間ＴＤである。また、照明器具Ａ１の器具制御部３は、制御信号の受信が完了しても直ぐには光源Ｄ１の光量を変化させず、受信した制御信号の第２のデータ部の値（＝３）から計算で求められる補正時間ＴＸ１（＝（第２のデータ部の値−１）×ＴＤ＝２ＴＤ）だけ遅らせてから、点灯回路部１を制御して光源Ｄ１を全点灯させる。
【００２４】
一方、照明器具Ａ１から送信された制御信号は、信号線Ｌｓを介して照明器具Ａ１に送り配線された照明器具Ａ２で受信される。この照明器具Ａ２の器具制御部３では、受信した制御信号の解析やデータチェック等を行い、第２のデータ部に含まれるデータ値を１だけ減算した値（＝１）に更新して送受信部２から信号線Ｌｓに送出させるとともに、制御信号の受信が完了した後、受信した制御信号の第２のデータ部の値（＝２）より計算で求められる補正時間ＴＸ２（＝（第２のデータ部の値−１）×ＴＤ＝ＴＤ）だけ遅らせてから、点灯回路部１を制御して光源Ｄ２を全点灯させる。
【００２５】
さらに、照明器具Ａ２から送信された制御信号は、信号線Ｌｓを介して照明器具Ａ２に送り配線された照明器具Ａ３で受信される。この照明器具Ａ３の器具制御部３では、制御信号の受信が完了した後、受信した制御信号の第２のデータ部の値（＝１）より補正時間ＴＸ３（＝（第２のデータ部の値−１）×ＴＤ＝０）を計算し、補正時間ＴＸ３の値がゼロであることから直ちに点灯回路部１を制御して光源Ｄ３を全点灯させる。
【００２６】
而して、各照明器具Ａ１〜Ａ３においては、制御信号を受信する順番が早いほど、制御信号の受信を完了してから実際に光源Ｄ１〜Ｄ３の光量を変化させる（全点灯させる）までの補正時間ＴＸ１〜ＴＸ３が長くなり、その結果、光源Ｄ１〜Ｄ３の光量が変化するタイミングが略一致し、全ての光源Ｄ１〜Ｄ３がばらつくことなく一斉に（略同時に）全点灯する。つまり、本実施形態においては各照明器具Ａ１〜Ａ３の器具制御部３が補正手段を構成している。
【００２７】
上述のように本実施形態では、補正手段たる各照明器具Ａ１〜Ａ３の器具制御部３が、制御信号に基づいて送受信部２で制御信号を受信してから光源Ｄ１〜Ｄ３の光量を変化させるまでの時間を次段の照明器具Ａ１…よりも遅らせているので、制御信号を受信する順番が早い照明器具Ａ１…ほど制御信号を受信してから光源Ｄ１…の光量を変化させるまでの時間が遅れることになり、最後に制御信号を受信した照明器具Ａ３が光源Ｄ３の光量を変化させるタイミングに合わせて他の全ての照明器具Ａ１，Ａ２で光源Ｄ１，Ｄ２の光量を変化させることができ、同期信号を用いることなく、且つ従来のシステム構成を変更することなしに多数の光源Ｄ１…の光量を略同時に変化させて使用者の望む照明制御が実現可能となる。
【００２８】
なお、補正時間ＴＸ１…を計算するためのデータとして、システムに含まれる照明器具Ａ１…の総台数を第２のデータ部に含むようにしているが、例えば照明器具Ａ１〜Ａ３間で制御信号が送信される回数を第２のデータ部に含むようにすれば、各照明器具Ａ１〜Ａ３における補正時間ＴＸ１〜ＴＸ３（＝第２のデータ部の値×ＴＤ）で求めることができる。
【００２９】
（実施形態２）
本実施形態の基本的な構成は実施形態１と共通であるから図示並びに説明は省略する。本実施形態は、補正手段たる各照明器具Ａ１〜Ａ３の器具制御部３が、制御信号に基づいて送受信部２で制御信号を受信してから光源Ｄ１〜Ｄ３の光量を変化させるまでの時間を前段の照明器具Ａ１，Ａ２よりも早めるようにした点に特徴がある。
【００３０】
次に、全ての照明器具Ａ１〜Ａ３の光源Ｄ１〜Ｄ３が消灯している状態から、制御装置ＣＴより送信される制御信号によって一斉に全ての光源Ｄ１〜Ｄ３を点灯させる場合の動作を、図５のタイムチャートを参照して説明する。
【００３１】
ここで、各照明器具Ａ１〜Ａ３の器具制御部３では、制御信号を受信してから点灯回路部２を制御して光源Ｄ１〜Ｄ３の光量を変化させるまでに所定の待機時間を待ってから行っており、この待機時間のデフォルト値をＴＷとする。また、上記のように全ての光源Ｄ１〜Ｄ３を一斉に全点灯する場合に制御装置ＣＴから送信される制御信号は、全ての光源Ｄ１〜Ｄ３を点灯させる命令をコマンド部に含むとともに、調光比を１００％（全点灯）とするデータを第１のデータ部に含み、且つ初期値を０とする補正データを第２のデータ部に含むものである。
【００３２】
このような制御信号が制御装置ＣＴから信号線Ｌｓに送出されると、まず信号線Ｌｓで制御装置ＣＴに直接接続されている照明器具Ａ１が上記制御信号を受信する。この照明器具Ａ１の器具制御部３では、受信した制御信号の解析やデータチェック等を行い、第２のデータ部に含まれるデータ値を１だけ加算した値（＝１）に更新して送受信部２から信号線Ｌｓに送出させる。このとき、照明器具Ａ１が制御信号を受信してから信号線Ｌｓに制御信号を送出するまでに要する時間が上記遅延時間ＴＤである。また、照明器具Ａ１の器具制御部３は、制御信号の受信が完了しても直ぐには光源Ｄ１の光量を変化させず、受信した制御信号の第２のデータ部の値（＝０）から計算で求められる待機時間ＴＹ１（＝ＴＷ−第２のデータ部の値×ＴＤ＝ＴＷ）だけ待機してから、点灯回路部１を制御して光源Ｄ１を全点灯させる。
【００３３】
一方、照明器具Ａ１から送信された制御信号は、信号線Ｌｓを介して照明器具Ａ１に送り配線された照明器具Ａ２で受信される。この照明器具Ａ２の器具制御部３では、受信した制御信号の解析やデータチェック等を行い、第２のデータ部に含まれるデータ値を１だけ加算した値（＝２）に更新して送受信部２から信号線Ｌｓに送出させるとともに、制御信号の受信が完了した後、受信した制御信号の第２のデータ部の値（＝１）より計算で求められる待機時間ＴＹ２（＝ＴＷ−第２のデータ部の値×ＴＤ＝ＴＷ−ＴＤ）だけ待機してから、点灯回路部１を制御して光源Ｄ２を全点灯させる。すなわち、２台目の照明器具Ａ２の待機時間ＴＹ２が１台目の照明器具Ａ１の待機時間ＴＹ１よりも短くなる。
【００３４】
さらに、照明器具Ａ２から送信された制御信号は、信号線Ｌｓを介して照明器具Ａ２に送り配線された照明器具Ａ３で受信される。この照明器具Ａ３の器具制御部３では、制御信号の受信が完了した後、受信した制御信号の第２のデータ部の値（＝２）より計算で求められる待機時間ＴＹ３（＝ＴＷ−第２のデータ部の値×ＴＤ＝ＴＷ−２ＴＤ）だけ待機してから、点灯回路部１を制御して光源Ｄ３を全点灯させる。すなわち、３台目の照明器具Ａ３の待機時間ＴＹ３が２台目の照明器具Ａ２の待機時間ＴＹ２よりも短くなる。
【００３５】
而して、各照明器具Ａ１〜Ａ３においては、制御信号を受信する順番が遅いほど、制御信号の受信を完了してから実際に光源Ｄ１〜Ｄ３の光量を変化させる（全点灯させる）までの待機時間ＴＹ１〜ＴＹ３が短くなり、その結果、光源Ｄ１〜Ｄ３の光量が変化するタイミングが略一致し、全ての光源Ｄ１〜Ｄ３がばらつくことなく一斉に（略同時に）全点灯する。但し、本実施形態の場合ではＴＷ＞２ＴＤの関係が成立するように待機時間のデフォルト値ＴＷが設定してある。
【００３６】
上述のように本実施形態では、補正手段たる各照明器具Ａ１〜Ａ３の器具制御部３が、制御信号に基づいて送受信部２で制御信号を受信してから光源Ｄ１〜Ｄ３の光量を変化させるまでの時間を前段の照明器具Ａ１…よりも早めているので、制御信号を受信する順番が遅い照明器具Ａ２，Ａ３ほど制御信号を受信してから光源Ｄ１…の光量を変化させるまでの時間が早まることになり、最後に制御信号を受信した照明器具Ａ３が光源Ｄ３の光量を変化させるタイミングに合わせて他の全ての照明器具Ａ１，Ａ２で光源Ｄ１，Ｄ２の光量を変化させることができ、従来のシステム構成を変更することなく、多数の光源Ｄ１…の光量を略同時に変化させて使用者の望む照明制御が実現可能となる。
【００３７】
（実施形態３）
本実施形態の基本的な構成は実施形態１と共通であるから図示並びに説明は省略する。本実施形態は、実施形態１と実施形態２を組み合わせ、補正手段たる各照明器具Ａ１〜Ａ３の器具制御部３が、制御信号に基づいて送受信部２で制御信号を受信してから光源Ｄ１〜Ｄ３の光量を変化させるまでの時間を次段の照明器具Ａ２，Ａ３よりも遅らせるとともに、制御信号に基づいて送受信部２で制御信号を受信してから光源Ｄ１〜Ｄ３の光量を変化させるまでの時間を前段の照明器具Ａ１，Ａ２よりも早めるようにした点に特徴がある。
【００３８】
次に、全ての照明器具Ａ１〜Ａ３の光源Ｄ１〜Ｄ３が消灯している状態から、制御装置ＣＴより送信される制御信号によって一斉に全ての光源Ｄ１〜Ｄ３を点灯させる場合の動作を、図６のタイムチャートを参照して説明する。
【００３９】
ここで、各照明器具Ａ１〜Ａ３の器具制御部３では、実施形態２と同様に制御信号を受信してから点灯回路部２を制御して光源Ｄ１〜Ｄ３の光量を変化させるまでに所定の待機時間を待ってから行っており、この待機時間のデフォルト値をＴＷとする。また、上記のように全ての光源Ｄ１〜Ｄ３を一斉に全点灯する場合に制御装置ＣＴから送信される制御信号は、全ての光源Ｄ１〜Ｄ３を点灯させる命令をコマンド部に含むとともに、調光比を１００％（全点灯）とするデータを第１のデータ部に含み、且つシステム内における制御信号の送り回数（照明器具の台数−１）よりも少ない値を初期値（本実施形態では“１”）とする補正データを第２のデータ部に含むものである。
【００４０】
このような制御信号が制御装置ＣＴから信号線Ｌｓに送出されると、まず信号線Ｌｓで制御装置ＣＴに直接接続されている照明器具Ａ１が上記制御信号を受信する。この照明器具Ａ１の器具制御部３では、受信した制御信号の解析やデータチェック等を行い、第２のデータ部に含まれるデータ値を１だけ減算した値（＝０）に更新して送受信部２から信号線Ｌｓに送出させる。このとき、照明器具Ａ１が制御信号を受信してから信号線Ｌｓに制御信号を送出するまでに要する時間が上記遅延時間ＴＤである。また、照明器具Ａ１の器具制御部３は、制御信号の受信が完了しても直ぐには光源Ｄ１の光量を変化させず、受信した制御信号の第２のデータ部の値（＝１）から計算で求められる待機時間ＴＺ１（＝ＴＷ＋第２のデータ部の値×ＴＤ＝ＴＷ＋ＴＤ）だけ待機してから、点灯回路部１を制御して光源Ｄ１を全点灯させる。つまり、照明器具Ａ１においては、制御信号を受信して光源Ｄ１の光量を変化させるまでにデフォルト値ＴＷよりも長い待機時間ＴＺ１を待機することになる。
【００４１】
一方、照明器具Ａ１から送信された制御信号は、信号線Ｌｓを介して照明器具Ａ１に送り配線された照明器具Ａ２で受信される。この照明器具Ａ２の器具制御部３では、受信した制御信号の解析やデータチェック等を行い、第２のデータ部に含まれるデータ値を１だけ減算した値（＝−１）に更新して送受信部２から信号線Ｌｓに送出させるとともに、制御信号の受信が完了した後、受信した制御信号の第２のデータ部の値（＝０）より計算で求められる待機時間ＴＺ２（＝ＴＷ＋第２のデータ部の値×ＴＤ＝ＴＷ）だけ待機してから、点灯回路部１を制御して光源Ｄ２を全点灯させる。すなわち、２台目の照明器具Ａ２の待機時間ＴＺ２がデフォルト値ＴＷとなり、１台目の照明器具Ａ１の待機時間ＴＺ１よりも短くなる。
【００４２】
さらに、照明器具Ａ２から送信された制御信号は、信号線Ｌｓを介して照明器具Ａ２に送り配線された照明器具Ａ３で受信される。この照明器具Ａ３の器具制御部３では、制御信号の受信が完了した後、受信した制御信号の第２のデータ部の値（＝−１）より計算で求められる待機時間ＴＺ３（＝ＴＷ＋第２のデータ部の値×ＴＤ＝ＴＷ−ＴＤ）だけ待機してから、点灯回路部１を制御して光源Ｄ３を全点灯させる。すなわち、３台目の照明器具Ａ３の待機時間ＴＺ３がデフォルト値ＴＷよりも短くなり、且つ２台目の照明器具Ａ２の待機時間ＴＺ２よりも短くなる。
【００４３】
而して、各照明器具Ａ１〜Ａ３においては、制御信号を受信する順番が遅いほど制御信号の受信を完了してから実際に光源Ｄ１〜Ｄ３の光量を変化させるまでの待機時間ＴＺ１〜ＴＺ３が短くなるため、制御信号を受信する順番が早いほど制御信号の受信を完了してから実際に光源Ｄ１〜Ｄ３の光量を変化させるまでの時間が長くなる。その結果、光源Ｄ１〜Ｄ３の光量が変化するタイミングが略一致し、全ての光源Ｄ１〜Ｄ３がばらつくことなく一斉に（略同時に）全点灯する。但し、本実施形態の場合ではＴＷ＞ＴＤの関係が成立するように待機時間のデフォルト値ＴＷが設定してある。
【００４４】
上述のように本実施形態では、補正手段たる各照明器具Ａ１〜Ａ３の器具制御部３が、制御信号に基づいて送受信部２で制御信号を受信してから光源Ｄ１〜Ｄ３の光量を変化させるまでの待機時間ＴＺを制御信号の送り回数に応じて増減しているので、制御信号を受信する順番が遅い照明器具Ａ２，Ａ３ほど制御信号を受信してから光源Ｄ１…の光量を変化させるまでの待機時間ＴＺ２，ＴＺ３が早まることになり、最後に制御信号を受信した照明器具Ａ３が光源Ｄ３の光量を変化させるタイミングに合わせて他の全ての照明器具Ａ１，Ａ２で光源Ｄ１，Ｄ２の光量を変化させることができ、従来のシステム構成を変更することなく、多数の光源Ｄ１…の光量を略同時に変化させて使用者の望む照明制御が実現可能となる。
【００４５】
（実施形態４）
図７に示すように本発明の実施形態４の照明システムは、実施形態１〜３で説明した制御装置ＣＴに２線式の信号線Ｌｓによってバス接続された複数台の照明器具Ａ１〜Ａ６と、信号線Ｌｓの途中に設けられて互いに送り配線された中継器Ｂ１，Ｂ２とを備えている。照明器具Ａ１…は、図８に示すように実施形態１〜３とほぼ同様の構成を有し、光源Ｄ１…と、光源Ｄ１…に電力を供給して点灯する点灯回路部１と、信号線Ｌｓを介して制御信号を受信する受信部４と、マイコンを主構成要素とし、制御信号に基づいて点灯回路部１から光源Ｄ１…へ供給される電力を可変させて光源Ｄ１…を点灯・消灯並びに調光する器具制御部３とを具備している。
【００４６】
一方、中継器Ｂ１…は、図９に示すように信号線Ｌｓを介して制御信号を送受信する送受信部１０と、マイコンを主構成要素とし、受信した制御信号の解析やデータチェック等を行った後に送受信部１０から信号線Ｌｓに制御信号を送出させる中継器制御部１１とを具備している。ここで、中継器Ｂ１，Ｂ２において制御信号を受信してから送信するまでに要する時間を遅延時間ＴＤと定義する。
【００４７】
次に、全ての照明器具Ａ１〜Ａ６の光源Ｄ１〜Ｄ６が消灯している状態から、制御装置ＣＴより送信される制御信号によって一斉に全ての光源Ｄ１〜Ｄ６を点灯させる場合の動作を、図１０のタイムチャートを参照して説明する。
【００４８】
全ての光源Ｄ１〜Ｄ６を点灯させる命令をコマンド部に含むとともに、調光比を１００％（全点灯）とするデータを第１のデータ部に含み、且つシステム内における制御信号の送信回数（システム中に含まれる中継器Ｂ１，Ｂ２の総台数）のデータ（＝２）を第２のデータ部に含む制御信号が、制御装置ＣＴから信号線Ｌｓに送出されると、まず制御装置ＣＴと１台目の中継器Ｂ１との間で信号線Ｌｓにバス接続されている２台の照明器具Ａ１，Ａ２が上記制御信号を略同時に受信する。これらの照明器具Ａ１，Ａ２の器具制御部３では、制御信号の受信が完了しても直ぐには光源Ｄ１，Ｄ２の光量を変化させず、受信した制御信号の第２のデータ部の値（＝２）から計算で求められる補正時間ＴＳ１（＝第２のデータ部の値×ＴＤ＝２ＴＤ）だけ遅らせてから、点灯回路部１を制御して光源Ｄ１，Ｄ２を全点灯させる。
【００４９】
一方、１台目の中継器Ｂ１が制御信号を受信すると、この中継器Ｂ１の中継器制御部１１では、受信した制御信号の解析やデータチェック等を行い、第２のデータ部に含まれるデータ値を１だけ減算した値（＝１）に更新して送受信部１０から信号線Ｌｓに送出させる。このとき、中継器Ｂ１が制御信号を受信してから信号線Ｌｓに制御信号を送出するまでに要する時間が上記遅延時間ＴＤである。
【００５０】
そして、中継器Ｂ１から送信された制御信号は、２台目の中継器Ｂ２との間で信号線Ｌｓにバス接続された２台の照明器具Ａ３，Ａ４で受信される。これらの照明器具Ａ３，Ａ４の器具制御部３では、制御信号の受信が完了しても直ぐには光源Ｄ３，Ｄ４の光量を変化させず、受信した制御信号の第２のデータ部の値（＝１）から計算で求められる補正時間ＴＳ２（＝第２のデータ部の値×ＴＤ＝ＴＤ）だけ遅らせてから、点灯回路部１を制御して光源Ｄ３，Ｄ４を全点灯させる。
【００５１】
さらに２台目の中継器Ｂ２が制御信号を受信すると、この中継器Ｂ２の中継器制御部１１では、受信した制御信号の解析やデータチェック等を行い、第２のデータ部に含まれるデータ値を１だけ減算した値（＝０）に更新して送受信部１０から信号線Ｌｓに送出させる。
【００５２】
そして、中継器Ｂ２から送信された制御信号は、２台目の中継器Ｂ２に送り配線された信号線Ｌｓにバス接続された２台の照明器具Ａ５，Ａ６で受信される。これらの照明器具Ａ５，Ａ６の器具制御部３では、制御信号の受信が完了した後、受信した制御信号の第２のデータ部の値（＝０）より補正時間ＴＳ３（＝第２のデータ部の値×ＴＤ＝０）を計算し、補正時間ＴＳ３の値がゼロであることから直ちに点灯回路部１を制御して光源Ｄ５，Ｄ６を全点灯させる。
【００５３】
而して、各照明器具Ａ１〜Ａ６においては、制御信号を受信する順番が早いほど、制御信号の受信を完了してから実際に光源Ｄ１〜Ｄ６の光量を変化させる（全点灯させる）までの補正時間ＴＳ１〜ＴＳ３が長くなり、その結果、光源Ｄ１〜Ｄ６の光量が変化するタイミングが略一致し、全ての光源Ｄ１〜Ｄ６がばらつくことなく一斉に（略同時に）全点灯させることができ、従来のシステム構成を変更することなく、多数の光源Ｄ１…の光量を略同時に変化させて使用者の望む照明制御が実現可能となる。つまり、本実施形態においては各照明器具Ａ１〜Ａ６の器具制御部３並びに中継器Ｂ１，Ｂ２の中継器制御部１１が補正手段を構成している。
【００５４】
なお、制御信号の第２のデータ部に含むデータの値及び各中継器Ｂ１，Ｂ２の中継器制御部１１における制御信号に対する処理を、それぞれ実施形態２や実施形態３の照明器具Ａ１…における器具制御部３の処理と一致させることにより、実施形態２と同様に各照明器具Ａ１〜Ａ６において送受信部２で制御信号を受信してから光源Ｄ１〜Ｄ６の光量を変化させるまでの時間を前段の照明器具Ａ１…よりも早めたり、あるいは実施形態３と同様に各照明器具Ａ１〜Ａ６において送受信部２で制御信号を受信してから光源Ｄ１〜Ｄ６の光量を変化させるまでの待機時間を制御信号の送り回数に応じて増減するようにしても同様の効果を奏することが可能である。
【００５５】
（実施形態５）
図１１に示すように本発明の実施形態５の照明システムは、実施形態１〜３で説明した制御装置ＣＴに２線式の信号線Ｌｓによって送り配線された複数台の中継器Ｂ１〜Ｂ３と、各中継器Ｂ１〜Ｂ３に対して信号線Ｌｘによりバス接続された複数台の照明器具Ａ１〜Ａ６とを備えている。すなわち、本実施形態においては、全ての照明器具Ａ１〜Ａ６が中継器Ｂ１〜Ｂ３から制御信号を受信している点が実施形態４と異なっている。
【００５６】
照明器具Ａ１…は実施形態４と同様の構成を有し、光源Ｄ１…と、光源Ｄ１…に電力を供給して点灯する点灯回路部１と、信号線Ｌｘを介して制御信号を受信する受信部４と、マイコンを主構成要素とし、制御信号に基づいて点灯回路部１から光源Ｄ１…へ供給される電力を可変させて光源Ｄ１…を点灯・消灯並びに調光する器具制御部３とを具備している。
【００５７】
一方、中継器Ｂ１…は、図１２に示すように送り配線された信号線Ｌｓを介して制御装置ＣＴ又は他の中継器Ｂ２，Ｂ３と制御信号を送受信するとともに信号線Ｌｘを介して照明器具Ａ１…に制御信号を送信する送受信部１２と、マイコンを主構成要素とし、受信した制御信号の解析やデータチェック等を行った後に送受信部１２から信号線Ｌｓ，Ｌｘに制御信号を送出させる中継器制御部１３とを具備している。ここで、中継器Ｂ１〜Ｂ３において信号線Ｌｓを介して制御信号を受信してから送信するまでに要する時間を遅延時間ＴＤと定義する。
【００５８】
次に、全ての照明器具Ａ１〜Ａ６の光源Ｄ１〜Ｄ６が消灯している状態から、制御装置ＣＴより送信される制御信号によって一斉に全ての光源Ｄ１〜Ｄ６を点灯させる場合の動作を、図１３のタイムチャートを参照して説明する。
【００５９】
全ての光源Ｄ１〜Ｄ６を点灯させる命令をコマンド部に含むとともに、調光比を１００％（全点灯）とするデータを第１のデータ部に含み、且つシステム中に含まれる中継器Ｂ１〜Ｂ３の総台数のデータ（＝３）を第２のデータ部に含む制御信号が、制御装置ＣＴから信号線Ｌｓに送出されると、まず信号線Ｌｓによって制御装置ＣＴと直接接続されている１台目の中継器Ｂ１に受信される。この中継器Ｂ１の中継器制御部１３では、受信した制御信号の解析やデータチェック等を行い、第２のデータ部に含まれるデータ値を１だけ減算した値（＝２）に更新して送受信部１２から信号線Ｌｓに送出させる。このとき、中継器Ｂ１が制御信号を受信してから信号線Ｌｓに制御信号を送出するまでに要する時間が上記遅延時間ＴＤである。さらに中継器制御部１３は、受信した制御信号の第２のデータ部の値（＝３）から計算で求められる補正時間ＴＲ１（＝第２のデータ部の値×ＴＤ＝３ＴＤ）だけ遅らせてから、送受信部１２により上記制御信号を信号線Ｌｘに送出させる。
【００６０】
一方、信号線Ｌｘにバス接続された２台の照明器具Ａ１，Ａ２が中継器Ｂ１からの上記制御信号を略同時に受信する。これらの照明器具Ａ１，Ａ２の器具制御部３では、制御信号の受信が完了すれば、直ちに点灯回路部１を制御して光源Ｄ１，Ｄ２を全点灯させる。
【００６１】
そして、２台目の中継器Ｂ２が信号線Ｌｓを介して制御信号を受信すると、この中継器Ｂ２の中継器制御部１３では、受信した制御信号の解析やデータチェック等を行い、第２のデータ部に含まれるデータ値を１だけ減算した値（＝１）に更新して送受信部１０から信号線Ｌｓに送出させる。さらに中継器制御部１３は、受信した制御信号の第２のデータ部の値（＝２）から計算で求められる補正時間ＴＲ２（＝第２のデータ部の値×ＴＤ＝２ＴＤ）だけ遅らせてから、送受信部１２により上記制御信号を信号線Ｌｘに送出させる。
【００６２】
一方、信号線Ｌｘにバス接続された２台の照明器具Ａ３，Ａ４が中継器Ｂ２からの上記制御信号を略同時に受信する。これらの照明器具Ａ３，Ａ４の器具制御部３では、制御信号の受信が完了すれば、直ちに点灯回路部１を制御して光源Ｄ１，Ｄ２を全点灯させる。
【００６３】
そして、３台目の中継器Ｂ３が信号線Ｌｓを介して制御信号を受信すると、この中継器Ｂ３の中継器制御部１３では、受信した制御信号の第２のデータ部の値（＝１）から計算で求められる補正時間ＴＲ３（＝第２のデータ部の値×ＴＤ＝ＴＤ）だけ遅らせてから、送受信部１２により上記制御信号を信号線Ｌｘに送出させる。
【００６４】
一方、信号線Ｌｘにバス接続された２台の照明器具Ａ５，Ａ６が中継器Ｂ３からの上記制御信号を略同時に受信する。これらの照明器具Ａ５，Ａ６の器具制御部３では、制御信号の受信が完了すれば、直ちに点灯回路部１を制御して光源Ｄ１，Ｄ２を全点灯させる。
【００６５】
而して、各中継器Ｂ１〜Ｂ３においては、信号線Ｌｓを介して制御信号を受信する順番が早いほど信号線Ｌｘを介して各照明器具Ａ１…に制御信号を送信するタイミングを遅らせているので、各照明器具Ａ１〜Ａ６において光源Ｄ１〜Ｄ６の光量が変化するタイミングが略一致し、全ての光源Ｄ１〜Ｄ６がばらつくことなく一斉に（略同時に）全点灯させることができ、従来のシステム構成を変更することなく、多数の光源Ｄ１…の光量を略同時に変化させて使用者の望む照明制御が実現可能となる。つまり、本実施形態においては各中継器Ｂ１〜Ｂ３の中継器制御部１３が補正手段を構成している。
【００６６】
ここで、本実施形態では、実施形態４とは異なって各照明器具Ａ１〜Ａ６に制御信号を送信する機能が不要であり、また制御信号を受信してから光源Ｄ１〜Ｄ６の光量を変化させるまでにタイムラグを設ける必要がないことから、回路構成や器具制御部３の内部処理が極めて簡素化できるという利点がある。なお、制御信号の第２のデータ部に含むデータの値及び各中継器Ｂ１〜Ｂ３の中継器制御部１３における制御信号に対する処理を、それぞれ実施形態２や実施形態３の照明器具Ａ１…における器具制御部３の処理と一致させることによっても、同様の効果を奏することが可能である。
【００６７】
また、信号線Ｌｘを介して中継器Ｂ１…から照明器具Ａ１…に送信される制御信号が、信号線Ｌｓを介して中継器Ｂ１…間で送受信される制御信号と同じものである必要はなく、例えば中継器Ｂ１…から照明器具Ａ１…に送信される制御信号には、図１６に示すようにコマンド部とデータ部（調光比のデータを含む）で構成されるものを用いても良い。
【００６８】
なお、上記実施形態１〜５においては、全ての光源Ｄ１…を消灯状態から全点灯させる場合の動作を例示したが、全点灯状態から一斉に消灯したり、あるいは消灯状態から所定の調光比（例えば、５０％）に一斉に調光点灯させるというように、光源Ｄ１…の光量を一斉に変化させる場合について同様の効果を奏することができる。また、制御信号についても実施形態のフォーマットや構成に限定されず、上述の各実施形態の動作が可能で有ればどのようなものであっても良い。さらに、制御信号の受信から送信までに要する遅延時間ＴＤの値、並びに制御信号の受信完了から光源Ｄ１…の光量変化までに要する時間として許容される最大値ＴＷについては、予め照明器具Ａ１…に設定することも可能であるし、あるいは制御装置ＣＴから送られる制御信号によって設定しても良いし、さらには照明器具Ａ１…においてそれらの値を計測するようにしても良い。
【００６９】
また、上記実施形態１〜５においては各照明器具Ａ１…が具備する光源Ｄ１…の数を１つとしているが、これに限定されるものではなく複数であっても良い。さらにシステムを構成する照明器具Ａ１…や中継器Ｂ１…の台数も実施形態に限定する趣旨ではなく、何台であっても良い。
【００７０】
【発明の効果】
請求項１の発明は、信号線によって互いに送り配線された複数台の照明器具と、信号線で接続された各照明器具に対して制御信号を送信する制御装置とを備えた照明システムにおいて、照明器具は、光源と、光源に電力を供給して点灯する点灯回路部と、信号線を介して制御信号を送受信する送受信部と、制御信号に基づいて点灯回路部から光源へ供給される電力を可変させて光源を点灯・消灯並びに調光する器具制御部と、他の照明器具との間で制御信号の送受信に伴って生じる光源の光量変化のタイミングのずれを補正する補正手段とを具備するので、各照明器具が具備する光源の光量を一斉に変化させる場合に補正手段によって光源の光量変化のタイミングのずれが補正され、従来のシステム構成を変更することなく、多数の光源の光量を略同時に変化させて使用者の望む照明制御が実現可能となるという効果がある。
【００７１】
請求項２の発明は、請求項１の発明において、補正手段が、制御信号に基づいて送受信部で制御信号を受信してから光源の光量を変化させるまでの時間を次段の照明器具よりも遅らせて成るので、制御信号を受信する順番が早い照明器具ほど制御信号を受信してから光源の光量を変化させるまでの時間が遅れることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【００７２】
請求項３の発明は、請求項１の発明において、補正手段が、制御信号に基づいて送受信部で制御信号を受信してから光源の光量を変化させるまでの時間を前段の照明器具よりも早めて成るので、制御信号を受信する順番が遅い照明器具ほど制御信号を受信してから光源の光量を変化させるまでの時間が早まることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【００７３】
請求項４の発明は、請求項１の発明において、補正手段が、制御信号に基づいて送受信部で制御信号を受信してから光源の光量を変化させるまでの時間を次段の照明器具よりも遅らせるとともに送受信部で制御信号を受信してから光源の光量を変化させるまでの時間を前段の照明器具よりも早めて成るので、制御信号を受信する順番が早い照明器具ほど制御信号を受信してから光源の光量を変化させるまでの時間が遅れるとともに、制御信号を受信する順番が遅い照明器具ほど制御信号を受信してから光源の光量を変化させるまでの時間が早まることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【００７４】
請求項５の発明は、信号線に対してバス接続された複数台の照明器具と、信号線に接続された各照明器具に対して制御信号を送信する制御装置と、信号線に送り配線されて制御信号を中継する１乃至複数台の中継器とを備え、照明器具は、光源と、光源に電力を供給して点灯する点灯回路部と、信号線を介して制御信号を受信する受信部と、制御信号に基づいて点灯回路部から光源へ供給される電力を可変させて光源を点灯・消灯並びに調光する器具制御部とを具備する照明システムにおいて、個々の照明器具の間で制御信号の送受信に伴って生じる光源の光量変化のタイミングのずれを補正する補正手段を備えたので、各照明器具が具備する光源の光量を一斉に変化させる場合に補正手段によって光源の光量変化のタイミングのずれが補正され、従来のシステム構成を変更することなく、多数の光源の光量を略同時に変化させて使用者の望む照明制御が実現可能となるという効果がある。
【００７５】
請求項６の発明は、請求項５の発明において、補正手段が、制御信号に基づいて中継器の送受信部で制御信号を受信してから照明器具に制御信号を送信するまでの時間を次段の中継器よりも遅らせて成るので、制御信号を受信する順番が早い照明器具ほど制御信号を受信してから光源の光量を変化させるまでの時間が遅れることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【００７６】
請求項７の発明は、請求項５の発明において、補正手段が、制御信号に基づいて中継器の送受信部で制御信号を送信してから照明器具に制御信号を送信するまでの時間を前段の中継器よりも早めて成るので、制御信号を受信する順番が遅い照明器具ほど制御信号を受信してから光源の光量を変化させるまでの時間が早まることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【００７７】
請求項８の発明は、請求項５の発明において、補正手段が、制御信号に基づいて中継器の送受信部で制御信号を受信してから照明器具に制御信号を送信するまでの時間を次段の中継器よりも遅らせるとともに中継器の送受信部で制御信号を送信してから照明器具に制御信号を送信するまでの時間を前段の中継器よりも早めて成るので、制御信号を受信する順番が早い照明器具ほど制御信号を受信してから光源の光量を変化させるまでの時間が遅れるとともに、制御信号を受信する順番が遅い照明器具ほど制御信号を受信してから光源の光量を変化させるまでの時間が早まることになり、最後に制御信号を受信した照明器具が光源の光量を変化させるタイミングに合わせて他の全ての照明器具で光源の光量を変化させることができ、従来のシステム構成を変更することなく、多数の光源の光量を略同時に変化させて使用者の望む照明制御が実現可能となるという効果がある。
【図面の簡単な説明】
【図１】実施形態１のシステム構成図である。
【図２】同上における照明器具のブロック図である。
【図３】同上における制御信号の説明図である。
【図４】同上の動作説明用のタイムチャートである。
【図５】実施形態２の動作説明用のタイムチャートである。
【図６】実施形態３の動作説明用のタイムチャートである。
【図７】実施形態４のシステム構成図である。
【図８】同上における照明器具のブロック図である。
【図９】同上における中継器のブロック図である。
【図１０】同上の動作説明用のタイムチャートである。
【図１１】実施形態５のシステム構成図である。
【図１２】同上における中継器のブロック図である。
【図１３】同上の動作説明用のタイムチャートである。
【図１４】従来例のシステム構成図である。
【図１５】他の従来例のシステム構成図である。
【図１６】同上における制御信号の説明図である。
【図１７】従来例の動作説明用のタイムチャートである。
【図１８】他の従来例の動作説明用のタイムチャートである。
【符号の説明】
Ａ１〜Ａ３  照明器具
Ｄ１〜Ｄ３  光源
ＣＴ  制御装置
１  点灯回路部
２  送受信部
３  器具制御部
【図１】
0003744282.tif 000002
【図２】
0003744282.tif 000003
【図３】
0003744282.tif 000004
【図４】
0003744282.tif 000005
【図５】
0003744282.tif 000006
【図６】
0003744282.tif 000007
【図７】
0003744282.tif 000008
【図８】
0003744282.tif 000009
【図９】
0003744282.tif 000010
【図１０】
0003744282.tif 000011
【図１１】
0003744282.tif 000012
【図１２】
0003744282.tif 000013
【図１３】
0003744282.tif 000014
【図１４】
0003744282.tif 000015
【図１５】
0003744282.tif 000016
【図１６】
0003744282.tif 000017
【図１７】
0003744282.tif 000018
【図１８】
0003744282.tif 000019